(57)【特許請求の範囲】
【請求項１】
遊技機の遊技盤上に打ち出された遊技球の振り分け機構であって、
前記遊技球を導く導入部と、
前記導入部を経由した遊技球を上方に持ち上げる持上機構と、
前記持上機構の上方において前記導入部から遠い方の端部に向かって下方に傾斜し、前記持上機構によって持ち上げられた遊技球を吸着可能である長手磁石部材と、
前記長手磁石部材の前記端部の下方において開口して前記長手磁石部材を経由して落下する遊技球を受け入れる受入部と、を含み、
前記持上機構は、互いに噛合する一対の櫛歯部と、前記櫛歯部を互いに近接または離間せしめる駆動部と、を有し、前記一対の櫛歯部は、その噛合位置によって画定され、前記長手磁石部材に沿って伸張し、前記導入部から離れるに従って低くなるように傾斜している遊技球の案内路を形成し、
前記案内路に隣接し、前記持上機構と前記受入部との間に設けられて、前記遊技球を前記振り分け機構から排出する球排出部を更に含むことを特徴とする遊技球の振り分け機構。
【請求項２】
前記噛合位置は、前記一対の櫛歯部が互いに近接したときに上昇し、離間したときに下降することを特徴とする請求項１に記載の遊技球の振り分け機構。
【請求項３】
前記長手磁石部材は前記櫛歯部の噛合位置の直上に配置されていることを特徴とする請求項１又は２に記載の遊技球の振分け機構。
【請求項４】
前記長手磁石部材の長手方向に交差する方向で前記長手磁石部材を往復運動せしめる磁石駆動部を含むことを特徴とする請求項１又は２に記載の遊技球の振分け機構。
【発明の詳細な説明】
【技術分野】
【０００１】
本発明は、遊技球の振分け機構に関し、特に磁石を用いた遊技球の振分け機構に関する。
【背景技術】
【０００２】
遊技機の入賞装置においては、遊技球の振り分け先を選択する振分け機構が用いられている。かかる振分け機構は、複数の通路のうち選択した通路に遊技球を導いて振分けを行っている。遊技球が該振分け機構を介して特定の通路を通過したときに、遊技機は所定数の賞球を払い出したり、特定遊技を開始したり、あるいは遊技盤面に設けられた表示部の遊技画像の変動を開始したりするようになっている。
【０００３】
振分け機構としては、振分けを行う構造体の形状を利用するもの、磁石を利用するもの、モーター等の電気的駆動手段を用いるもの、あるいはこれらを組み合わせたものがある。近年、遊技球の振分け先を電気的に制御するために、電気的駆動手段が多用された振分け機構が主に開発されている。
【０００４】
電気的駆動手段と磁石とを組み合わせた振分け機構として、円筒面に永久磁石および電磁石が所定のパターンで備えられている円筒状の誘導回転体を用いたものがある（特許文献１参照）。該振分け機構は、誘導回転体の前面に供給された遊技球を磁力によって吸着せしめて振分けを行っている。換言すれば、該振分け機構の誘導回転体による振分けは、該円筒面に向かって供給された遊技球を該円筒面に設けられた磁石の磁力によって吸着し、回転方向へと当該吸着遊技球を持ち上げて搬送し、さらに該回転方向に直交する方向に並べられている複数の通路へ該遊技球を導いて、行われている。
【特許文献１】特開２００３‐３８７５６号公報
【発明の開示】
【発明が解決しようとする課題】
【０００５】
上記の如き振分け機構は、永久磁石若しくは電磁石ごとに遊技球の振り分け先が設定されている。すなわち、遊技球が誘導回転体の磁石に吸着された時点、あるいは誘導回転体と遊技球とが接した時点で、遊技球の振分け先が、遊技機の操作者（遊技者）に容易に予想されることとなっていた。
【０００６】
特に、大量の遊技球が振分け機構に供給されて誘導回転体の前面に遊技球が滞留すると、当該前面における遊技球の可動範囲が狭くなり、遊技球と誘導回転体との接触位置がほぼ定まってしまう。これによって、振分け結果が振分け先に対応する磁石の数に応じて定まり、遊技が単調に進行するおそれがあった。また、遊技球が最終的な振分け先に到達するまでに結果がほぼ完全に予想できてしまうことは、遊技球の振分け結果に対する関心が早い段階で失われることとなる。その結果、かかる振分け機構、ひいてはかかる機構を組み込んだ遊技機に対する遊技者の魅力が低下するおそれがあった。
【０００７】
また、上記した振分け機構は遊技球を誘導回転体の磁石により重力に反するよう持ち上げることができることから、落下運動とは異なる遊技球の動きを提供することができるものの、磁石の移動は誘導回転体の回転に従うことから、振分け機構における遊技球の動きが単調になるおそれがある。すなわち、遊技球が誘導回転体に吸着された後は、当該遊技球は自身の運動によって誘導回転体上を移動することはほとんどなく、誘導回転体による演出が単調になるおそれがある。その結果、遊技球の動きを楽しませるという遊技機本来の機能が低下するおそれがある。
【０００８】
本発明は、上述した問題点が一例として挙げられる課題を解決するためになされたものであり、遊技球自身の運動に応じて振分け結果に変化が生じ得るだけでなく、遊技球の動きに意外性を与えることができる遊技球の振分け機構を提供することを目的としている。
【課題を解決するための手段】
【０００９】
本発明による遊技球の振分け機構は、遊技機の遊技盤上に打ち出された遊技球の振り分け機構であって、前記遊技球を導く導入部と、前記導入部を経由した遊技球を上方に持ち上げる持上機構と、前記持上機構の上方において前記導入部から遠い方の端部に向かって下方に傾斜し、前記持上機構によって持ち上げられた遊技球を吸着可能である長手磁石部材と、前記長手磁石部材の前記端部の下方において開口して前記長手磁石部材を経由して落下する遊技球を受け入れる受入部と、を含み、前記持上機構は、互いに噛合する一対の櫛歯部と、前記櫛歯部を互いに近接または離間せしめる駆動部と、を有し、前記一対の櫛歯部は、その噛合位置によって画定され、前記長手磁石部材に沿って伸張し、前記導入部から離れるに従って低くなるように傾斜している遊技球の案内路を形成し、前記案内路に隣接し、前記持上機構と前記受入部との間に設けられて、前記遊技球を前記振り分け機構から排出する球排出部を更に含むことを特徴とする。
【発明を実施するための最良の形態】
【００１０】
以下、本発明による遊技球の振分け機構について、添付図面を参照しつつ詳細に説明する。なお、下記実施例は、いわゆる第２種遊技機と称される遊技機について説明しているもののこれに限定されない。
【００１１】
図１に示す如く、遊技機１は、縦長な方形状の枠組にて構成され遊技機の設置場所に強固に固定される外枠２と、外枠２に一側を保持され且つ外枠２に対して開閉自在に設けられた表枠３と、表枠３に開閉自在に設けられている透明ガラス枠４および扉枠５と、を備えている。
【００１２】
表枠３には、盤面が遊技領域とされる遊技盤６が設けられている。表枠３の下方には、遊技機に供給すべき弾球（以下、遊技球とも称する）を一時貯留する上皿７、遊技機１より賞球として排出された弾球の一部を貯留する下皿８、弾球を遊技盤の上部に打ち出す弾球打出機構（図示せず）、弾球打出機構を操作するための操作ハンドル９が設けられている。また、遊技機１の背面には、遊技機の各種装置を制御する電子制御装置（図示せず）が設けられている。
【００１３】
遊技盤６はその下部左右と下部中央との３箇所に始動口１０が設けられている他、図示しない釘や風車等が設けられている。また、遊技盤６のほぼ中央には、複数の入賞領域を有する変動入賞装置１１（いわゆる特別電動役物）が備えられている。変動入賞装置１１は、当該機構内への遊技球の通過の許否を振り分ける羽根部１２を有している。羽根部１２は遊技球が始動口１０を通過することを契機として開閉することとしても良い。羽根部１２が開状態にあるときに、遊技球は変動入賞装置１１内に侵入できる。遊技盤６上に打出された遊技球のうち羽根部１２を通過した遊技球は、入賞球となって誘導路（図示せず）を介して遊技球の振分け機構１３に導かれる。なお、以下説明を簡単にするべく、変動入賞装置１１を正面に据えて見たとき、すなわち遊技盤６の遊技領域とされている遊技盤面を正面に据えて見たときを基準にして、前後左右方向および上下方向が定められているものとする。
【００１４】
図２に示す如く、遊技球の振分け機構１３は、変動入賞装置１１の該誘導路に連通していて遊技球（図示せず）を導く導入部１４を備えている。導入部１４は、左右方向に長手状に広がっている導入開口１４ａと、導入開口１４ａの長手中央の直下から下方に伸長している誘導通路１４ｂと、誘導通路１４ｂの側壁に設けられていて前方に向かって開いている球供給開口１４ｃと、を有している。
【００１５】
導入部１４の前方には、球供給開口１４ｃと対向し得るように、導入部１４を経由した遊技球を上方に持ち上げる持上機構１５が配置されている。持上機構１５は、互いに噛合する一対の櫛歯部１６，１７を含んでいる。第１の櫛歯部１６および第２の櫛歯部１７は、櫛歯の伸長方向が左右方向となるように配置されている。また第１および第２の櫛歯部１６，１７が互いに左右方向に移動できるように噛み合っている。
【００１６】
第１の櫛歯部１６の櫛歯は、櫛歯の根元から櫛歯のほぼ中央にかけて下方に傾斜している第１の傾斜面１６ａと、櫛歯のほぼ中央から歯先にかけて下方に傾斜していて第１の傾斜面１６ａよりも緩やかな第２の傾斜面１６ｂと、櫛歯の歯先において鉛直方向に伸長している鉛直面１６ｃと、を含んでいる。第１の傾斜面１６ａと第２の傾斜面１６ｂとの境界は第１の境界部において連続しており、第２の傾斜面１６ｂと鉛直面１６ｃとの境界は第２の境界部において連続している。
【００１７】
同様に、第２の櫛歯部１７の櫛歯は、櫛歯の根元から櫛歯のほぼ中央にかけて下方に傾斜している第１の傾斜面１７ａと、櫛歯のほぼ中央から歯先にかけて下方に傾斜していて第１の傾斜面１７ａよりも緩やかな第２の傾斜面１７ｂと、櫛歯の歯先において鉛直方向に伸長している鉛直面１７ｃと、を含んでいる。第１の傾斜面１７ａと第２の傾斜面１７ｂとの境界は第１の境界部において連続しており、第２の傾斜面１７ｂと鉛直面１７ｃとの境界は第２の境界部において連続している。
【００１８】
第１の境界部および第２の境界部は受入部１４から前方に向かって一列に配置されていて、第１の境界部および第２の境界部の位置は、受入部１４から離れるに従って低くなっている。従って、第１および第２の櫛歯部１６，１７が噛合している噛合位置、すなわち第１および第２の櫛歯部１６，１７の第１および第２の傾斜面によって形成されている案内路の底部の位置は、導入部１４から離れるにつれて低くなっている。また、該案内路も導入部１４から離れるに従って下方に傾斜する。なお、噛合位置は導入部１４から前方に向かって直線的に伸長しており、噛合位置の伸長方向に対応して球供給開口１４ｃが配置されている
持上機構１５は、一対の櫛歯部１６，１７を互いに接近または離間せしめる駆動部（図示せず）を更に含んでいる。該駆動部は第１および第２の櫛歯部１６，１７を線形的に往復運動せしめる手段を有しており、当該移動手段によって第１および第２の櫛歯部１６，１７は左右方向に移動できるようになっている。なお、図２は、第１および第２の櫛歯部１６，１７が最も離間した状態を示している。
【００１９】
第１および第２の櫛歯部１６，１７の前方には、球排出部１８が配置されている。球排出部１８は、櫛歯部１６，１７の櫛歯が延在している方向に平行な方向に伸長していて水平方向に長手状に広がっている球排出開口１８ａと、球排出開口１８ａに連通していて振分け機構１３から遊技球を排出する球排出通路１８ｂと、を有している。球排出開口１８ａは、櫛歯部１６，１７が最も離間した状態における噛合位置よりも低い位置に配置されている。球排出通路１８ｂには球検知センサ（図示せず）が設けられている。球排出開口１８ａは一般入賞口となっている。遊技球が球排出開口１８ａを通過して、球排出通路１８ｂ内の該球検知センサが遊技球の通過を検知すると、所定数の賞球が払い出されるようになっている。
【００２０】
球排出部１８の前方には受入部１９が配置されており、受入部１９は球受入開口１９ａと球受入通路１９ｂと、を有している。従って、球排出部１８は持上機構１５と受入部１９との間に設けられている。受入部１９の球受入開口１９ａは、噛合位置の伸長方向に対応して配置されている。また、球受入開口１９ａは、球排出開口１８ａよりも高い位置に配置されている。球受入通路１９ｂにも球検知センサ（図示せず）が設けられており、球受入開口１９ａは特定入賞口となっている。遊技球が球受入開口１９ａを通過して、球受入通路１９ｂ内の該球検知センサが遊技球の通過を検知すると、遊技機は遊技者に有利な特定遊技状態（大当り遊技状態とも言う）を提供するようになっている。ここで特定遊技状態とは遊技機が短時間に大量の賞球を払い出させるチャンスを遊技者に付与している状態をいい、例えば、羽根部１２を複数回にわたって開閉させて遊技球を変動入賞装置１１内へ導きやすくしている状態をいう。
【００２１】
持上機構１５の上方には、導入部１４から遠い方の端部に向かって傾斜している長手磁石部材２０が配置されている。長手磁石部材２０は、櫛歯部１６，１７の噛合位置の直上に配置されている。図３に示す如く、長手磁石部材２０は、持上機構１５によって持ち上げられた遊技球Ｂを吸着せしめることができる。なお、遊技球Ｂが長手磁石部材２０の長手方向の何れの位置においても吸着できるように、長手磁石部材２０の長手面２０ａは同一の磁極の磁性面となっている。また、長手磁石部材２０は球排出部１８の上方を越えて受入部１９の上方まで伸長しており、長手磁石部材２０の導入部１４から遠い方の端部２０ｂの下方には受入部１９の球受入開口１９ａが配置されている。
【００２２】
長手磁石部材２０は磁石保持部２１に接着されており、磁石保持部２１は導入部１４から遠い方の端部において鉛直方向に伸長している突出部２１ａを有している。突出部２１ａは、長手磁石部材２０の上の遊技球Ｂと接し得るように、長手磁石部材２０の端部２０ｂの近傍に配置されている。従って、突出部２１ｂに衝突して長手磁石部２０から落下した遊技球は、球受入開口１９ａを通過できるようになっている。
【００２３】
上記の如き構成の振分け機構において、第１および第２の櫛歯部１６，１７は駆動部（図示せず）によって互いに接近すると、第１および第２の櫛歯部１６，１７によって形成される案内路の幅は狭くなり、噛合位置は全体的に上方へと移動する。図４に示す如く、第１および第２の櫛歯部１６，１７が最も接近したときに、噛合位置が長手磁石部材２０に最も近くなる。また、第１および第２の櫛歯部１６，１７が接近することによって、導入部１４の球供給開口１４ｃは第１および第２の櫛歯部１６，１７の櫛歯によって塞がれる。
【００２４】
次に上記構成の振分け機構の動作と遊技球の動きについて説明する。導入部１４に向けて導かれた遊技球は、導入部１４の導入開口１４ａを通過した後に誘導通路１４ｂを経由して球供給開口１４ｃに向かう。図５に示す如く、第１および第２の櫛歯部１６，１７が互いに離間していて球排出開口１４ｃが塞がれていない状態において、導入部１４内の遊技球Ｂは球排出開口１４ｃから排出される（図中、太線矢印で示す）。かかる遊技球Ｂは、第１および第２の櫛歯部１６，１７によって形成されている案内路を転動し、球排出部１８へと向かう。遊技球が該案内路の先端、すなわち第１および第２の櫛歯部１６，１７の最前部に到達すると、当該遊技球は持上機構１５から転落して球排出開口１８ａを通過する。
【００２５】
遊技球Ｂが球排出開口１４ｃから排出された後に第１および第２の櫛歯部１６，１７が互いに接近すると、第１および第２の櫛歯部１６，１７による案内路の幅は狭くなり、噛合位置は全体的に上方へと移動する。これに応じて、第１および第２の櫛歯部１６，１７の上にある遊技球Ｂは、上方に持ち上げられる（図６）。
【００２６】
ここで、第１および第２の櫛歯部１６，１７の接近速度が速い場合、遊技球Ｂは第１および第２の櫛歯部１６，１７を離れて上方に跳ね上げられる。かかる遊技球Ｂは長手磁石部材２０の長手面２０ａに接近もしくは接触して、長手面２０ａに吸着される（図７）。
【００２７】
なお、遊技球Ｂが長手面２０ａと接触しても、跳ね上げられる勢いが強い場合、かかる遊技球Ｂは弾かれて長手面２０ａに吸着できない。また、遊技球Ｂの跳ね上がる勢いが弱くて長手面２０ａに十分に近づけない場合、すなわち遊技球Ｂにかかる重力に比べて長手磁石部材２０の磁力が弱い場合においても、遊技球Ｂは長手面２０ａに吸着できない。長手面２０ａに吸着できなかった遊技球Ｂは、第１および第２の櫛歯部１６，１７による案内路に従って球排出部１８に案内されて、振分け機構１３から排出されることとなる。
【００２８】
長手面２０ａに吸着された遊技球Ｂは、長手磁石部材２０が導入部１４から遠い方の端部に向かって下方に傾斜していることから、重力と磁力の作用によって、長手面２０ａに吸着したまま長手方向に沿って移動する（図８）。換言すれば、遊技球Ｂは長手磁石部材２０から垂下したまま長手面２０ａ上を伝って導入部１４から前方に向かって移動する。
【００２９】
ここで、球排出部１８の上方において遊技球Ｂが長手面２０ａから離れた場合、当該遊技球は球排出部１８へと落下して振分け機構１３から排出されることとなる。一方、遊技球が長手面２０ａ上を伝って長手磁石部材２０の端部２０ｂに到達すると、遊技球Ｂは突出部２１ａに衝突して長手面２０ａから落下する。落下した遊技球Ｂは、長手磁石部材２０の端部２０ｂの下方に配置されている受入部１９の球受入開口１９ａを通過することとなる。なお、球排出部１８の上方において遊技球が長手面２０ａから離れた場合であっても、落下の方向によっては、稀に受入部１９に導かれる。また、遊技球Ｂが突出部２１ａに衝突して落下した場合であっても、受入部１９の縁部で弾かれる、あるいは突出部２１ｂとの衝突によって後方に弾かれるなどして、遊技球Ｂが球排出部１８を通過することが稀に生じる。すなわち、遊技球の最終的な振分け先は、遊技球自身の運動状態によって決定される。
【００３０】
なお、図９に示す如く、球排出開口１４ｃから排出された遊技球Ｂの勢いが強い場合、遊技球は第１および第２の櫛歯部１６，１７の上を跳ねながら前方に進行する（図中、太線矢印で示す）。かかる遊技球Ｂは、稀に球排出部１８を超えて受入部１９に到達できる。すなわち、遊技球Ｂが球排出部１８へ導かれ易い状態にあっても、遊技球Ｂの振り分け先が完全に定まらず、遊技球Ｂの振分け結果は、遊技球自身の動きによって最終的に決定される。
【００３１】
上記した構成の遊技球の振分け機構において、遊技球の最終的な振分け先が遊技球自身の動きによって決定される故、遊技者が振り分け結果を完全に予測することは困難である。また、遊技球の動きによって振分け結果に対する意外性を遊技者に提供することができる。
【００３２】
また、磁性面に吸着させた後に当該磁性面上において遊技球が動く構成となっていることから、振り分け先に至るまでの遊技球自身の動きによる演出を提供することができる。特に、遊技球を垂下させたまま動かすという、磁力と重力とのバランスによって得られる動きによる演出効果と、かかる動きに対応する最終的な振分け結果に対する遊技者の関心とを、共に高めることができる。
【００３３】
なお、第１および第２の櫛歯部１６、１７が互いに接近して、球供給開口１４ｃが塞がれている状態（図６等参照）において、導入部１４に導かれた遊技球は、球供給開口１４ｃから排出されずに導入部１４内に貯留されることなる。ここで第１および第２の櫛歯部１６、１７が互いに離間して球供給開口１４ｃが開放されると、図１０に示す如く、貯留された遊技球Ｂは第１および第２の櫛歯部１６，１７上に一度に流出する（図中、太線矢印で示す）。
【００３４】
第１および第２の櫛歯部１６，１７が再度接近すると、当該遊技球群は上方に持ち上げられる。長手磁石部材２０は長手面２０ａの何れの位置においても遊技球を吸着できることから、かかる遊技球群は一度に長手面２０ａに吸着し得ることとなる。その結果、振分け機構１３は、大量の遊技球を受入部１９に到達せしめるチャンスを遊技者に付与することとなる。
【００３５】
一方、上記の如く大量の遊技球が持上機構１５に供給されても、第１および第２の櫛歯部１６，１７が離間した状態を維持する場合、当該遊技球群は持上機構１５を転動して球排出部１８に至ることとなる。
【００３６】
以上のように、持上機構１５自身が持上機構１５へ至る遊技球の供給を制御することによって、遊技球の流れが変化し、振分け機構における振分けが単調になることを防ぐことができる。また、遊技者は遊技球の貯留状況および持上機構１５の動作に着目することとなり、結果的に、振分け機構１３に対する関心を高めることができる。
【００３７】
なお、上記実施例において、第１および第２の櫛歯部１６，１７の双方が可動であるもののこれに限定されず、第１および第２の櫛歯部１６，１７の何れか一方が可動であることとしても良い。例えば、第１の櫛歯部１６を固定して第２の櫛歯部１７が可動であるとすると、第２の櫛歯部１７は、第１の櫛歯部１６に向かって接近若しくは第１の櫛歯部１６から離れることとなる。かかる構成において、長手磁石部材２０は、第１および第２の櫛歯部１６，１７が最も接近した場合における噛合位置の直上に配置されるように、第１の櫛歯部１６の第１の傾斜面１６ａの上方に配置されても良い。
【００３８】
また、振分け機構１３は、長手磁石部材２０の長手方向に交差する方向で長手磁石部材２０を往復運動せしめる磁石駆動部を含むこととしても良い。図１１に示す如く、磁石保持部２１は磁石駆動部（図示せず）と結合しており、該磁石駆動部は噛合位置の上方を中心として左右に磁石保持部２１及び長手磁石部材２０を往復運動せしめる（図中、矢印で示す方向）。
【００３９】
かかる長手磁石部材２０の往復運動は、一定のタイミングで行われることとしても良い。例えば、長手磁石部材２０は、噛合位置の直上で１秒停止した後に２秒かけて右方向に移動し、さらに運動方向を反転させて２秒かけて噛合位置の直上に戻る。そして長手磁石部材２０は噛合位置の直上で１秒停止した後に２秒かけて左方向に移動し、さらにまた運動方向を反転させて２秒かけて噛合位置の直上に戻る。かかる左右の移動を繰り返すことによって、長手磁石部材２０が移動することとしても良い。
【００４０】
以上のように、長手磁石部材２０を左右に移動せしめることによって、持上機構１５による上下運動と長手磁石部材２０の左右運動とを組み合わせることができて、遊技球の振り分け結果の予測をより困難にすることができる。
【図面の簡単な説明】
【００４１】
【図１】本発明による遊技球の振分け機構を備えた遊技機の外観斜視図である。
【図２】本発明による遊技球の振分け機構の概略外観斜視図である。
【図３】図２における遊技球の振分け機構のＡ−Ａ線断面図である。
【図４】本発明による遊技球の振分け機構の概略外観斜視図である。
【図５】本発明による遊技球の振分け機構の概略外観斜視図（ａ）および右側面図            （ｂ）である。
【図６】本発明による遊技球の振分け機構の概略外観斜視図（ａ）および右側面図            （ｂ）である。
【図７】本発明による遊技球の振分け機構の概略外観斜視図（ａ）および右側面図            （ｂ）である。
【図８】本発明による遊技球の振分け機構の概略外観斜視図（ａ）および右側面図            （ｂ）である。
【図９】本発明による遊技球の振分け機構の概略外観斜視図である。
【図１０】本発明による遊技球の振分け機構の概略外観斜視図である。
【図１１】本発明による遊技球の振り分け機構の正面図である。
【符号の説明】
【００４２】
１  遊技機
１３  振分け機構
１４  導入部
１４ａ  導入開口
１４ｂ  誘導通路
１４ｃ  球供給開口
１５  持上機構
１６  第１の櫛歯部
１６ａ  第１の傾斜面
１６ｂ  第２の傾斜面
１６ｃ  鉛直面
１７  第２の櫛歯部
１７ａ  第１の傾斜面
１７ｂ  第２の傾斜面
１７ｃ  鉛直面
１８  球排出部
１８ａ  球排出開口
１８ｂ  球排出通路
１９  受入部
１９ａ  球受入開口
１９ｂ  球受入通路
２０  長手磁石部材
２０ａ  長手面
２０ｂ  端部
２１  磁石保持部
２１ａ  突出部
【図１】
0004472591.tif 000002
【図２】
0004472591.tif 000003
【図３】
0004472591.tif 000004
【図４】
0004472591.tif 000005
【図５】
0004472591.tif 000006
【図６】
0004472591.tif 000007
【図７】
0004472591.tif 000008
【図８】
0004472591.tif 000009
【図９】
0004472591.tif 000010
【図１０】
0004472591.tif 000011
【図１１】
0004472591.tif 000012